【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】
複数の複数のページを有し一方の縁に背が構成された本ブロックを含む本をオンデマンド式に印刷し綴じるための装置であって、前記ページを印刷するためのページプリンタと、前記ページプリンタにより印刷されたページを受容し前記本ブロックを形成する積層部と、カバーを印刷するカバープリンタと、前記本ブロックと前記カバーとを受容する接合ステーションと、前記本ブロックの背と前記カバーとの間に接着剤を適用するための接着剤アプリケーターとを含み、前記接合ステーションが、前記カバーを前記本ブロックに対して該カバーが前記本ブロックに前記接着剤により接合されるよう前記背に近接してクランプするクランプを有していることを特徴とする装置。
【請求項２】
請求項１による装置であって、更に、前記本から余剰マージンを除去するトリミングステーションを含むことを特徴とする装置。
【請求項３】
請求項１による装置であって、更に、キャリッジを含み、該キャリッジが、前記本ブロックを受容する第一の位置から前記接合ステーション及び前記本から余剰マージンを除去するトリミングステーションまでの経路に沿って移動可能であることを特徴とする装置。
【請求項４】
請求項３による装置であって、第二のページプリンタを含み、前記キャリッジが、第一の本ブロックを前記接合ステーションへ移送した後、第二の本ブロックを受容すべく前記第二のページプリンタへ移動し、その後、前記第二の本ブロックを前記接合ステーションへ移送することを特徴とする装置。
【請求項５】
請求項４による装置であって、前記カバープリンタが前記第二の本ブロックのためのカバーを印刷し、前記第二の本ブロックのためのカバーが前記接合ステーションへ移送され、前記第二の本ブロックの背と前記第二の本ブロックのためのカバーの間に接着剤が適用され、前記接合ステーションにより前記第二の本ブロックとそのカバーとが接着剤により接合されて第二の本が形成されることを特徴とする装置。
【請求項６】
請求項５による装置であって、前記トリミングステーションが前記第二の本から余剰マージンを除去することを特徴とする装置。
【請求項７】
複数の複数のページを有し一方の縁に背が構成された本ブロックを含み前記背に接着剤によりカバーが固定された本をオンデマンド式に印刷し綴じるための装置であって、前記ページを印刷するためのページプリンタと、前記ページプリンタにより印刷されたページを受容し前記本ブロックを形成する積層部と、カバープリンタと、前記カバーを前記カバープリンタから接合ステーションへ移送するコンベアと、前記本ブロックを受容する第一の位置から前記背と前記カバーとの間に接着剤を適用する接着剤適用ステーションまで移動可能であるキャリッジとを含み、前記キャリッジが前記本ブロックを前記接合ステーションへ移送し、前記接合ステーションが、前記カバーを前記本ブロックに対して該カバーが前記本ブロックに前記接着剤により接合されるよう前記背に近接してクランプするクランプを有していることを特徴とする装置。
【請求項８】
複数の複数のページとカバーとを有する本をオンデマンド式に印刷し綴じるための方法であって、
ａ．前記ページを前記ページプリンタにて印刷する過程と、
ｂ．前記ページプリンタにて印刷されたページを積層して本ブロックを形成する過程と、
ｃ．前記本ブロックを接合ステーションへ移送する過程と、
ｄ．カバープリンタにてカバーを印刷する過程と、
ｅ．前記カバーを前記接合ステーションへ移送する過程と、
ｆ．前記本ブロックの背に接着剤を適用する過程と、
ｇ．前記カバーを前記本ブロックへ接合し前記本を形成するべく前記カバーを前記本ブロックに対してクランプする過程と
を含むことを特徴とする方法。
【請求項９】
請求項８の方法であって、更に
ｈ．前記本から余剰マージンを除去する過程
を含む方法。
【請求項１０】
請求項９の方法であって、更に
ｉ．第二のページプリンタにて第二の本ブロックを印刷する過程と、
ｊ．前記第二の本ブロックを前記接合ステーションへ移送する過程と、
ｋ．前記第二の本ブロックのための第二のカバーを印刷する過程と、
ｌ．前記第二のカバーを前記接合ステーションへ移送する過程と、
ｍ．前記第二の本ブロックの背に接着剤を適用する過程と、
ｎ．前記第二のカバーを前記第二の本ブロックへ接合し前記本を形成するべく前記カバーを前記本ブロックに対してクランプする過程と
含む方法。
【請求項１１】
請求項１０の方法であって、
ｏ．トラックに沿って移動可能なキャリッジにより前記第一の本ブロックを第一のページプリンタから前記接合ステーションへ移送すること
を含む方法。
【請求項１２】
請求項１１の方法であって、
ｐ．前記キャリッジにより前記第二の本ブロックを前記第二のページプリンタから前記接合ステーションへ移送すること
を含む方法。
【手続補正２】
【補正対象書類名】明細書
【補正対象項目名】０００２
【補正方法】変更
【補正の内容】
【０００２】
【従来の技術】
米国特許第５，４６５，２１３号の如き、オンデマンド式の本の印刷又は出版システムの登場により、多数の本のうちの任意のものの単一のコピーを、数分のうちにオンデマンド式に印刷することができるようになっている。しかしながら、消費者に魅力的なオンデマンド式に印刷される本のコピーを作るためには、コピーが、出版者より入手可能な伝統的な態様にて印刷された本を製本するために現在用いられている製本システムと同様の態様にて製本されなければならない。そのようなオンデマンド式に印刷される本のための製本システムは、読者に対して同一の「感触」を有していなければならず、また、等しい耐久性を有していなければならない。しばしば、書店は、「一般向」ペーパーバック本と称される良質の紙で製本された本を販売し、これらの一般向ペーパーバック本は、（ハードカバー本と区別される）ソフトな紙製カバーに綴じられる。オンデマンド式の本の出版の分野に於て長い間問題となっていたことは、無線綴じ本として読者に許容可能な本を製本できる製本システムであって、比較的広範囲な本の厚み（即ち、広範囲な綴じられるべき本のページ数）に適合することができ、該オンデマンド式本出版システムを使用していない間に於いて殆ど又は全く維持管理を必要としない供給物を用い、ページを互いに対して及びカバーに対して永久的に接合し、すぐに使用準備ができ、過度に複雑で高価な接合装置を必要とせず、オンデマンド式本出版システムの使用者による不適当な維持管理を必要とせず、経済的に使用できる製本システムによりオンデマンド式に印刷された本を容易に綴じることができるようにすることである。
【手続補正３】
【補正対象書類名】明細書
【補正対象項目名】０００３
【補正方法】変更
【補正の内容】
【０００３】
オンデマンド式本出版システムに於て、種々の製本システムが、印刷された本のページを、その本のためのページと共にオンデマンド式に印刷されたその本の対応するカバーに接合するために用いられている。しかしながら、これら従来のオンデマンド式印刷のための製本システムは、複雑で高価であり、長期間、ホットメルト接着剤を或る温度に維持することを必要とし、過度に長期間圧縮された状態に綴じた本を保持してページが互いに及びカバーに対して永久的に接合されるようにすることが必要である。更に、接合から約２４時間の間に、そのようなオンデマンド式の印刷された本のページがその他のページから及びカバーから取れてしまうことがあるということが見出されており、従って、綴じられた本は、本のページを開く前に、特に、読者がペーパーバック本に対して通常行うように、読もうとするページを開いてその本を保持しやすくすべく、接合部分をそれ自身に対して後ろへ曲げるといったことをする前に２４時間程度静置することが望ましいとされている。
【手続補正４】
【補正対象書類名】明細書
【補正対象項目名】００１１
【補正方法】変更
【補正の内容】
【００１１】
必要ではないが、好ましくは、本ブロック１４を構成するページは、予め定められた長さＷ及び高さＨ（例えば６インチ（１５．２４ｃｍ）×９インチ（２２．８６ｃｍ））である。綴じられる典型的な本に於けるページ数は、約３００ページであってよいがこの数は広範囲に変動してよい。更に、本ブロックのページに用いられる紙の形式は、広範囲に変動し得るが、６０ポンドオフセットボンドとして知られる紙が本発明の製本システム及び方法を用いて本ブロック１４のページＰを印刷するためによりよく働く。背Ｓは、本のカバーへ接合される本ブロックの縁である。
【手続補正５】
【補正対象書類名】明細書
【補正対象項目名】００３１
【補正方法】変更
【補正の内容】
【００３１】
上記の如く、音波工具６６は、好ましくは、中央部分１８の全長に沿ってカバーＣの外側表面の全長に接触する。しかしながら、音波工具６６は、中央部分１８の一部に一旦接触し、中央部分１８の全長に沿って接着剤Ａを活性するべく中央部分の長さに沿って移動されるようにしてもよい。概して、音波工具は、約５ＫＨｚと約４０ＫＨｚとの間の範囲の周波数にて付勢されてよい。超音波周波数は、一般に、２０ＫＨｚ以上の周波数として認識されている。本発明の広い局面に於いて、音波エネルギーを接着剤Ａを活性化するために使用する代わりに、低周波数（例えば、数百Ｈｚの範囲）を用いた振動工具が接着剤を活性化するために用いられてよい。しかしながら、音波工具及びより好ましくは超音波工具６６が好ましい。